(57)【要約】【課題】発光部から照射される光を広げたり、一定の範囲に制限したりすることを目的とする。【解決手段】収納装置は、収納部と、扉ロック機構と、ロック駆動部と、静電容量式タッチスイッチ装置とを備える。静電容量式タッチスイッチ装置６０は、実装基板７０、介在部材８０、タッチシート９０及びカバーシート１００が積層状態に組合わされた状態で、本体ケースに組付けられる。【選択図】図１８
2020035770.tif 000002
【特許請求の範囲】
【請求項１】
収納本体部と開閉部材とを含む収納部と、
前記開閉部材に設けられ、前記開閉部材に設けられた取っ手部を操作することで、前記開閉部材を開可能状態にする扉ロック機構と、
前記開閉部材に設けられ、前記扉ロック機構の動作規制を行うロック駆動部と、
前記開閉部材に設けられ、前記ロック駆動部の動作制御を行う静電容量式タッチスイッチ装置と、
を備え、
前記静電容量式タッチスイッチ装置は、実装基板、介在部材、タッチシート及びカバーシートが積層状態に組合わされた状態で、本体ケースに組付けられた構成とされ、
前記介在部材には貫通する複数の光通過孔が形成され、
前記実装基板のうち前記介在部材側に発光部が実装固定され、
前記発光部は、前記複数の光通過孔に対応する位置に複数設けられ、
前記タッチシートは、シートと静電容量検出用の複数の電極部とを含み、
前記カバーシートに、前記複数の発光部に対応して複数の表示部が設けられ、
前記複数の電極部は、前記複数の表示部に対応して設けられ、
さらに、前記ロック駆動部、前記実装基板及び前記タッチシートの電気的要素の電源として一次電池又は二次電池である電源ユニットを備える収納装置。
【請求項２】
請求項１に記載の収納装置であって、
前記実装基板と前記介在部材とが接している、収納装置。
【請求項３】
請求項１又は請求項２に記載の収納装置であって、
前記発光部が前記光通過孔内に設けられている、収納装置。
【請求項４】
請求項１から請求項３のいずれか１つに記載の収納装置であって、
前記カバーシートが前記タッチシートに粘着されている、収納装置。
【請求項５】
請求項１から請求項４のいずれか１つに記載の収納装置であって、
前記カバーシートのうち前記タッチシート側の面に印刷膜による印刷部が形成されている、収納装置。
【請求項６】
請求項１から請求項５のいずれか１つに記載の収納装置であって、
前記複数の発光部と前記複数の光通過孔と前記複数の電極部とが１対１対１の対応関係で設けられている、収納装置。
【発明の詳細な説明】
【技術分野】
【０００１】
この発明は、手指等による操作を受付ける静電容量式タッチスイッチ装置を備えた収納装置に関する。
【背景技術】
【０００２】
特許文献１は、フィルムの表面に複数個の静電容量スイッチを設けた認証装置を開示している。
【先行技術文献】
【特許文献】
【０００３】
【特許文献１】特開２０１０−０３９５３１号公報
【発明の概要】
【発明が解決しようとする課題】
【０００４】
本発明は、発光部から照射される光を広げたり、一定の範囲に制限したりすることを目的とする。
【課題を解決するための手段】
【０００５】
上記課題を解決するため、第１の態様に係る収納装置は、収納本体部と開閉部材とを含む収納部と、前記開閉部材に設けられ、前記開閉部材に設けられた取っ手部を操作することで、前記開閉部材を開可能状態にする扉ロック機構と、前記開閉部材に設けられ、前記扉ロック機構の動作規制を行うロック駆動部と、前記開閉部材に設けられ、前記ロック駆動部の動作制御を行う静電容量式タッチスイッチ装置と、を備え、前記静電容量式タッチスイッチ装置は、実装基板、介在部材、タッチシート及びカバーシートが積層状態に組合わされた状態で、本体ケースに組付けられた構成とされ、前記介在部材には貫通する複数の光通過孔が形成され、前記実装基板のうち前記介在部材側に発光部が実装固定され、前記発光部は、前記複数の光通過孔に対応する位置に複数設けられ、前記タッチシートは、シートと静電容量検出用の複数の電極部とを含み、前記カバーシートに、前記複数の発光部に対応して複数の表示部が設けられ、前記複数の電極部は、前記複数の表示部に対応して設けられ、さらに、前記ロック駆動部、前記実装基板及び前記タッチシートの電気的要素の電源として一次電池又は二次電池である電源ユニットを備える。
【０００６】
第２の態様は、第１の態様に係る収納装置であって、前記実装基板と前記介在部材とが接している。
【０００７】
第３の態様は、第１又は第２の態様に係る収納装置であって、前記発光部が前記光通過孔内に設けられている。
【０００８】
第４の態様は、第１〜第３のいずれか１つの態様に係る収納装置であって、前記カバーシートが前記タッチシートに粘着されている。
【０００９】
第５の態様は、第１から第４のいずれか１つの態様に係る収納装置であって、前記カバーシートのうち前記タッチシート側の面に印刷膜による印刷部が形成されている。
【００１０】
第６の態様は、第１から第５のいずれか１つの態様に係る収納装置であって、前記複数の発光部と前記複数の光通過孔と前記複数の電極部とが１対１対１の対応関係で設けられている。
【発明の効果】
【００１１】
各態様によると、発光部から照射される光を広げたり、一定の範囲に制限したりすることができる。
【図面の簡単な説明】
【００１２】
【図１】収納装置を示す斜視図である。
【図２】収納装置の部分正面図である。
【図３】開閉操作ユニットの全体構成を示す斜視図である。
【図４】開閉操作ユニットの一部分解斜視図である。
【図５】開閉操作ユニットの電気的構成を示すブロック図である。
【図６】静電容量式タッチスイッチ装置の分解斜視図である。
【図７】静電容量式タッチスイッチ装置の分解斜視図である。
【図８】本体ケースの底部を示す斜視図である。
【図９】底部のうちスイッチ操作部が設けられた部分を示す概略断面図である。
【図１０】２つのスイッチに対する操作例を示す図である。
【図１１】２つのスイッチに対する他の操作例を示す図である。
【図１２】２つのスイッチに対するさらに他の操作例を示す図である。
【図１３】タッチシートを示す正面図である。
【図１４】カバーシートを示す正面図である。
【図１５】カバーシートを示す背面図である。
【図１６】カバーシートが扉に装着された状態を示す概略断面図である。
【図１７】静電容量式タッチスイッチ装置の一部が発光している状態を示す説明図である。
【図１８】静電容量式タッチスイッチ装置の部分概略断面図である。
【図１９】開閉操作ユニットに対するジェスチャ操作例を示す図である。
【図２０】開閉操作ユニットに対するカード型端末装置のタッチ操作例を示す図である。
【図２１】開閉操作ユニットのワンタッチ認証モードによる動作例を示すフローチャートである。
【図２２】開閉操作ユニットのジャスチャ認証モードによる動作例を示すフローチャートである。
【図２３】開閉操作ユニットのカード認証モードによる動作例を示すフローチャートである。
【図２４】開閉操作ユニットのジェスチャプラスカード認証モードによる動作例を示すフローチャートである。
【発明を実施するための形態】
【００１３】
以下、実施形態に係る静電容量式タッチスイッチ及び収納装置について説明する。
【００１４】
＜収納装置の全体構成について＞
まず、収納装置の全体構成について説明する。図１は収納装置１０を示す斜視図であり、図２は収納装置１０の部分正面図である。
【００１５】
収納装置１０は、収納部としてのキャビネット１２と、扉ロック機構２０と、開閉操作ユニット３０とを備える。
【００１６】
キャビネット１２は、収納本体部１４と、扉１６ａ、１６ｂとを備える。
【００１７】
収納本体部１４は、一方側（前方側）が開口する箱状に形成されており、収納本体部１４内に収納空間１４Ｓが形成されている。
【００１８】
収納本体部１４の開口部に、開閉部材として、両開きタイプの扉１６ａ、１６ｂが開閉可能に取付けられている。扉１６ａ、１６ｂの突き合せ部分は、重なり合って配設されており、外側で重なる一方の扉１６ａ（図１及び図２では右側の扉）を閉じた状態では、内側で重なる他方の扉１６ｂを開くことができないようになっている。
【００１９】
なお、ここでは、キャビネット１２が両開きタイプの扉１６ａ、１６ｂを備える例で説明するが、キャビネットは、片開きタイプの扉を備えるものであってもよい。また、キャビネットは、収納スペースに対して引出及び押込可能に引出部が設けられた構成であってもよい。この場合、引出が収納スペースに対して開閉可能な開閉部材である。
【００２０】
一方の扉１６ａには、扉ロック機構２０が設けられている。扉ロック機構２０は、当該扉１６ａに組込まれ、扉１６ａ、１６ｂを閉ロック状態又は開可能状態にする機構である。ここでは、扉ロック機構２０は、シャフト２２と、ロック爪部２４とを備える。シャフト２２は、扉１６ａの内側に上下方向に沿って、かつ、回転可能に取付けられている。シャフト２２のいずれか一方の端部には、ロック爪部２４が当該シャフト２２に対して相対回転不能に取付けられている。そして、扉１６ａを閉じた状態で、シャフト２２を回転させると、ロック爪部２４が姿勢変更して収納本体部１４の開口部の縁に形成されたロック孔に係止する。これにより、扉１６ａが閉ロック状態となる。また、シャフト２２を回転させて、ロック爪部２４を姿勢変更させると、ロック爪部２４とロック孔との係止が解除され、扉１６ａを開可能状態にすることができる。扉ロック機構としては、上記構成の他、シャフトをその軸方向に移動させて、収納本体部の開口部の縁に係脱させる構成、係止爪を他方の扉に係脱させる構成等、周知構成を含む各種構成を採用することができる。
【００２１】
上記一方の扉１６ａに、利用者の認証、扉ロック機構２０の操作受付、扉ロック機構２０の動作規制を行う開閉操作ユニット３０が扉１６ａに組込まれている。
【００２２】
＜開閉操作ユニットの全体構成について＞
開閉操作ユニット３０の全体構成について説明する。
【００２３】
図３は開閉操作ユニット３０の全体構成を示す斜視図であり、図４は同開閉操作ユニット３０の一部分解斜視図である。
【００２４】
開閉操作ユニット３０は、枠部材３２と、取っ手部４０と、ロック駆動部５０と、静電容量式タッチスイッチ装置６０とを備える。
【００２５】
枠部材３２は、樹脂等によって形成された部材であり、第１収容部３３と、第２収容部３４と、第３収容部３５とを備える。ここでは、第１収容部３３、第２収容部３４及び第３収容部３５は、この順で一列に並ぶように形成されている。第１収容部３３にロック駆動部５０が組込まれ、第２収容部３４に取っ手部４０が組込まれ、第３収容部３５に静電容量式タッチスイッチ装置６０が組込まれる。
【００２６】
取っ手部４０は、上記枠部材３２の第２収容部３４に姿勢変更可能に支持されている。本開閉操作ユニット３０が扉１６ａの裏面側に取付けられた状態で、取っ手部４０と上記シャフト２２とは、取っ手部４０の姿勢変更に連動してシャフト２２を回転させるように連結されている。なお、上記ロック爪部２４をロック孔に係止させる方向に、シャフト２２がコイルバネ等の付勢部材によって付勢されている。そして、取っ手部４０を操作（例えば、引っ張り操作）することで、ロック爪部２４とロック孔との係止が解除される。また、取っ手部４０を操作する力を解除（例えば、引っ張り操作を解除）すると、取っ手部４０が元の姿勢に戻り、ロック爪部２４が付勢力によって姿勢変更して、ロック爪部２４がロック孔に係止可能となる。なお、取っ手部４０からシャフト２２への連結は一方向への連結であり、従って、取っ手部４０を操作することで、シャフト２２を回転させることができる一方、取っ手部４０を初期姿勢（引っ張らない状態）に保った状態で、シャフト２２を回転させてロック爪部２４をロック孔に係止させることができるようになっている。
【００２７】
ロック駆動部５０は、上記静電容量式タッチスイッチ装置６０の制御に応じて動作制御され、上記扉ロック機構２０の動作規制を行う。ロック駆動部５０は、ソレノイドアクチュエータ５２と、規制片５４とを備えている。ソレノイドアクチュエータ５２は、コイルと可動鉄心等を備えるアクチュエータであり、このソレノイドアクチュエータ５２によって規制片５４が往復駆動される。なお、ソレノイドアクチュエータ５２は、ソレノイドケース５３内に収容されている。規制片５４は、上記取っ手部４０又は取っ手部４０とシャフト２２との連結部分等の側方に配設され、取っ手部４０の姿勢変更を可能にする位置と取っ手部４０の姿勢変更を規制する位置との間で往復移動可能に支持されている。そして、ソレノイドアクチュエータ５２の駆動下、規制片５４が移動することで、取っ手部４０の姿勢変更が可能な状態と姿勢変更が規制された状態とに切替えられる。取っ手部４０が姿勢変更可能な状態では、当該取っ手部４０を操作することで、上記扉ロック機構２０のロック爪部２４とロック孔との係止を解除できる。つまり、この状態が、扉１６ａを開可能な状態にするロック解除状態である。また、取っ手部４０が姿勢変更不能な状態に規制された状態では、取っ手部４０を操作して扉ロック機構２０のロック爪部２４とロック孔との係止を解除できなくなる。つまり、この状態が、扉１６ａを閉じた状態に保つロック状態である。なお、上記したように、この状態でも、扉１６ａを開いた状態から閉じると、ロック爪部２４をロック孔に係止させることができる。
【００２８】
本実施形態では、扉ロック機構２０、取っ手部４０及びロック駆動部５０が、開閉部材である扉１６ａを閉じた状態に保つロック状態（施錠状態）と、扉１６ａを開可能な状態にするロック解除状態（解錠状態）とに切替可能なロック機構である。もっとも、ロック機構が上記構成であることは必須ではない。例えば、取っ手部を、扉を開閉操作するための持ち手として設け、ロック機構として、認証結果、動作制御されるソレノイドアクチュエータ等によって、収納本体部に係脱可能なロック爪部が直接的に姿勢又は位置変更される構成を採用してもよい。
【００２９】
静電容量式タッチスイッチ装置６０は、利用者によるタッチ操作を受付けると共に、そのタッチ操作に基づいて上記ロック駆動部５０を制御可能に構成されている。ここでは、静電容量式タッチスイッチ装置６０は、外部の非接触式通信装置との間で通信を行い、その通信結果に基づいてロック駆動部５０を制御可能にも構成されている。
【００３０】
すなわち、本実施形態では、開閉操作ユニット３０は、利用者によるタッチ操作、及び、利用者による非接触式通信装置を用いた認証操作の少なくとも一方に応じて、ロック駆動部５０を制御し、扉１６ａ、１６ｂを閉じた状態と開くことが可能な状態とに切替える。
【００３１】
なお、本開閉操作ユニット３０には、電源ユニット４５が一体的に組合わされる。電源ユニット４５は、乾電池等の一次電池又は充電可能な２次電池を含み、本開閉操作ユニット３０に対する電力供給を行う。電源ユニット４５は、好ましくは、本開閉操作ユニット３０を１年程度操作させることができる程度の容量を有している。
【００３２】
＜開閉操作ユニットの電気的構成について＞
上記開閉操作ユニット３０の電気的構成について説明しておく。図５は開閉操作ユニット３０の電気的構成を示すブロック図である。
【００３３】
開閉操作ユニット３０は、電気的構成要素として、実装基板７０に実装された諸電気要素と、タッチシート９０に設けられた諸電気要素と、ソレノイドアクチュエータ５２とを備える。
【００３４】
実装基板７０には、認証コントローラ２００、タッチ検知回路部２１０Ｃ、通信回路部２１２Ｃ、発光部２１４（１）、２１４（２）、２１４（３）、２１４（４）、２１４（５）、２１４（６）、２１４（７）、２１４（８）、２１４（９）（なお、これらを区別する必要が無い場合、これらを総称して単に発光部２１４と記載する場合がある）と、発光部２１４の駆動回路２１５と、スイッチ２１６（１）、２１６（２）と、ソレノイドアクチュエータ５２の駆動回路２１８とを備える。
【００３５】
認証コントローラ２００は、中央演算ユニットと記憶装置２０２とを含む一般的なマイクロコンピュータによって構成されている。中央演算ユニットは、記憶装置２０２に格納されたプログラム２０３に記述された各処理ステップを実行する。記憶装置２０２は、例えばＲＯＭ(Read Only Memory)、ＲＡＭ(Random Access Memory)、書き換え可能な不揮発性メモリ（ＥＰＲＯＭ(Erasable Programmable ROM)等）、ハードディスク装置などの各種記憶装置の１つ又は複数で構成されている。記憶装置２０２は、中央演算ユニットが実行するプログラム２０３を格納すると共に、プログラム２０３を実行するにあたって必要となる各種の情報（後述する許可情報２０４、履歴２０５等）を格納する。また、記憶装置２０２は、プログラム２０３を実行するための作業領域を提供する。実装基板７０では、当該実装基板７０に形成された回路パターンによって、認証コントローラ２００と他の諸電気要素とが電気的に接続されている。
【００３６】
タッチ検知回路部２１０Ｃは、上記認証コントローラ２００に接続されると共に、後述する電極部２１０（１）、２１０（２）、２１０（３）、２１０（４）、２１０（５）、２１０（６）、２１０（７）、２１０（８）、２１０（９）（なお、これらを区別する必要が無い場合、これらを総称して単に電極部２１０と記載する場合がある）に接続されている。そして、各電極部に利用者の手指等が近接すると、当該手指による静電容量の変化を検出し、その検出信号を認証コントローラ２００に出力する。これにより、認証コントローラ２００は、電極部のいずれに手指が近接したかを検出できるようになる。
【００３７】
通信回路部２１２Ｃは、上記認証コントローラ２００に接続されると共に、後述するアンテナ２１２に接続されている。そして、通信回路部２１２Ｃは、アンテナ２１２を通じて後述する外部の非接触式通信装置との間で非接触通信を行い、非接触式通信装置から受信した情報を認証コントローラ２００に与え、又は、認証コントローラ２００からの情報を非接触通信装置に送信する。非接触通信装置としては、後述するカード型端末装置１４０、携帯端末装置、パーソナルコンピュータ等が想定され、通信回路部２１２Ｃと非接触通信装置との間の通信としては、電波通信等が想定される。
【００３８】
発光部２１４は、発光ダイオード等の自発光可能な素子であり、上記実装基板７０に実装されることで、当該実装基板７０上の一定位置に固定されている。各発光部２１４は、駆動回路２１５を通じて認証コントローラ２００に接続されている。そして、認証コントローラ２００の制御下、各発光部２１４が個別に発光駆動される。
【００３９】
スイッチ２１６（１）、２１６（２）は、上記認証コントローラ２００に接続されている。そして、各スイッチ２１６（１）、２１６（２）の開閉状態に応じた信号が認証コントローラ２００に入力される。例えば、スイッチ２１６（１）、２１６（２）は、常開型の押ボタン式スイッチであり、その一方の接点が電源電圧に接続されると共に、他方の接点がプルダウン抵抗Ｒを介して接地されると共に、認証コントローラ２００に接続されている。そして、スイッチ２１６（１）、２１６（２）が開状態であると、スイッチ２１６（１）、２１６（２）からオフ信号が認証コントローラ２００に入力され、スイッチ２１６（１）、２１６（２）がオン操作されて閉状態になると、スイッチ２１６（１）、２１６（２）からオン信号が認証コントローラ２００に入力される。
【００４０】
駆動回路２１８は、認証コントローラ２００に接続されると共に、上記ソレノイドアクチュエータ５２に接続されている。そして、認証コントローラ２００の制御下、ソレノイドアクチュエータ５２の駆動が制御され、上記規制片５４が往復進退移動する。
【００４１】
タッチシート９０には、電気的構成要素として、静電容量検出用の電極部２１０（１）、２１０（２）、２１０（３）、２１０（４）、２１０（５）、２１０（６）、２１０（７）、２１０（８）、２１０（９）と、アンテナ２１２とが設けられている。
【００４２】
電極部は、導体によって形成されており、タッチシート９０に分散して位置するように設けられている。そして、利用者の手指等が当該電極部のいずれかに選択的に近接できるようになっている。
【００４３】
また、アンテナ２１２は、上記通信回路部２１２Ｃが外部の非接触通信装置と通信を行うためのアンテナであり、導体によって形成されている。このアンテナ２１２は、タッチシート９０において、電極部２１０を避けた位置に設けられている。
【００４４】
これらの電極部２１０及びアンテナ２１２については、後で詳細に説明する。
【００４５】
なお、開閉操作ユニット３０は、認証コントローラ２００と接続されたＵＳＢ端子２２０を備える。開閉操作ユニット３０は、本ＵＳＢ端子２２０を通じて当該ＵＳＢ端子に接続された外部機器とも通信可能である。
【００４６】
＜静電容量式タッチスイッチ装置について＞
静電容量式タッチスイッチ装置６０の全体構成について説明する。図６及び図７は、静電容量式タッチスイッチ装置６０の分解斜視図である。
【００４７】
図３、図４、図６及び図７に示すように、静電容量式タッチスイッチ装置６０は、タッチシート９０と、発光部２１４と、介在部材８０とを備える。そして、各発光部２１４から照射された光が、介在部材８０を通って、タッチシート９０に至るようになっている。各光が、介在部材８０を通る際に広げられ、静電容量式タッチスイッチ装置６０を外部から観察すると、その各タッチスイッチ部１３０（図１７参照）がより広範囲で光って観察されるようになる。
【００４８】
より具体的には、静電容量式タッチスイッチ装置６０は、実装基板７０、介在部材８０、タッチシート９０及びカバーシート１００がこの順で積層状態に組合わされ、この積層体が本体ケース６２に組付けられた構成とされている。
【００４９】
以下、静電容量式タッチスイッチ装置６０の各部構成について説明する。
【００５０】
＜本体ケースについて＞
本体ケース６２は、底部６３と、当該底部６３の一方主面側で底部６３の一方主面側を囲む囲壁部６６とを備える筺状に形成されている。本体ケース６２は、底部６３の反対側で開口している。この本体ケース６２の開口６２ｈは、扉１６ａ側を向くように配設される。また、底部６３は、本体ケース６２の底側を部分的に閉塞するように設けられており、従って、本体ケース６２の底側のうち底部６３が設けられた箇所以外は開口している。この開口６３ｈを通じて外部の電源ユニット４５、ソレノイドアクチュエータ５２への配線が引出される。
【００５１】
図８は本体ケース６２の底部６３を示す斜視図であり、図９は底部６３のうちスイッチ操作部６４（１）、６４（２）が設けられた部分を示す概略断面図である。
【００５２】
図７〜図９に示すように、底部６３には、複数（ここでは２つ）のスイッチ操作部６４（１）、６４（２）が隣合って設けられている。各スイッチ操作部６４（１）、６４（２）は、実装基板７０に実装されるスイッチ２１６（１）、２１６（２）のそれぞれと対向する位置に設けられている。各スイッチ操作部６４（１）、６４（２）は、スイッチ２１６（１）、２１６（２）を押し操作可能なように当該スイッチ２１６（１）、２１６（２）に対して進退可能に設けられている。ここでは、各スイッチ操作部６４（１）、６４（２）は、底部６３にＵ字状のスリットを形成することによって、底部６３の表裏方向に弾性変形可能に設けられている。そして、各スイッチ操作部６４（１）、６４（２）を押し操作すると、各スイッチ操作部６４（１）、６４（２）が底部６３の内側に弾性変形して、スイッチ操作部６４（１）、６４（２）の内側に設けられた対応するスイッチ２１６（１）、２１６（２）を押し、これにより、各スイッチ２１６（１）、２１６（２）をオン状態にする。また、スイッチ操作部６４（１）、６４（２）を押し操作する力を解除すると、スイッチ操作部６４（１）、６４（２）が元の形状に弾性復帰し、スイッチ２１６（１）、２１６（２）が元のオフ状態に復帰する。
【００５３】
また、各スイッチ操作部６４（１）、６４（２）は、底部６３の外側に向けて突出する操作用突部６４ａ（１）、６４ａ（２）を含む。操作用突部６４ａ（１）、６４ａ（２）は、各スイッチ操作部６４（１）、６４（２）のそれらを押し操作容易にするための部分である。
【００５４】
本静電容量式タッチスイッチ装置６０では、スイッチ２１６（１）、２１６（２）のいずれか又は両方を押し操作することで、所定の指示を入力することができる。このため、各スイッチ操作部６４（１）、６４（２）を選択的に押し操作すること、及び、スイッチ操作部６４（１）、６４（２）を同時押し操作することをより確実に行える構成であることが好ましい。
【００５５】
そこで、ここでは、上記操作用突部６４ａ（１）、６４ａ（２）の突出寸法を異ならせている。ここでは、操作用突部６４ａ（１）の突出寸法は、操作用突部６４ａ（２）の突出寸法よりも大きい。このため、図１０に示すように、手指Ｆ等によって操作用突部６４ａ（１）だけを押し操作し易い。また、操作用突部６４ａ（２）を押し操作する際には、図１１に示すように、比較的大きく突出している操作用突部６４ａ（１）を避けつつ、操作用突部６４ａ（２）だけを手指Ｆ等で押し操作することも容易である。さらに、図１２に示すように、操作用突部６４ａ（１）を押し操作したことを触感等で認識しつつ手指Ｆ等をさらに押込んで操作用突部６４ａ（２）を押し操作すれば、スイッチ操作部６４（１）、６４（２）を同時押し操作することも容易である。
【００５６】
このように、複数のスイッチ２１６（１）、２１６（２）を押し操作するための複数のスイッチ操作部６４（１）、６４（２）を、各スイッチ２１６（１）、２１６（２）に対応して設けた上で、各スイッチ操作部６４（１）、６４（２）の操作用突部６４ａ（１）、６４ａ（２）の突出寸法を異ならせることで、スイッチ２１６（１）、２１６（２）の別々の押し操作、同時押し操作を容易に行うことができる。本構成は、静電容量式タッチスイッチ装置６０に組込まれる場合だけでなく、各種電気部品のスイッチ装置として設けることが可能である。
【００５７】
図６及び図７に示すように、上記囲壁部６６の内面には、底部６３から開口６３ｈの手前に至る凸条部６７が形成されている。ここでは、囲壁部６６の内面を構成する４つの面のそれぞれにおいて、間隔をあけて並列状に延在する凸条部６７が形成されている。底部６３と開口６３ｈとを結ぶ方向において、各凸条部６７の開口６３ｈ側の端部の位置は一致している。そして、実装基板７０が本体ケース６２内に収容されると、各凸条部６７の開口６３ｈ側の端部が実装基板７０の周縁部に当接する。これにより、実装基板７０が本体ケース６２内においてその底側から一定位置で受止めて支持される。
【００５８】
また、囲壁部６６のうち対向する一組の側壁部分６６ａには、介在部材８０の係止凸部８３ｐを嵌め込み可能な係止凹部６６ａｈが形成されている。ここでは、各側壁部分６６ａのうち上記凸条部６７よりも開口６３ｈ側の位置に２つの係止凹部６６ａｈが形成されている。係止凹部６６ａｈは、側壁部分６６ａを内外に貫通しているが、貫通しない凹みであってもよい。そして、介在部材８０を本体ケース６２内に押込むと、介在部材８０の各係止凸部８３ｐが対応する係止凹部６６ａｈに係止して、介在部材８０が本体ケース６２内の一定位置に固定される。この状態では、実装基板７０は、上記凸条部６７と介在部材８０との間に挟み込まれた状態で、本体ケース６２内に保持される。
【００５９】
また、囲壁部６６の４つの外向き面のうち開口６３ｈに近い側の部分のそれぞれに、２つの位置決め凹部６８が並列状に形成されている。ここでは、各位置決め凹部６８は、囲壁部６６の開口６３ｈ側に開口する溝状に形成されている。また、介在部材８０の４つの外向き面のうち当該各位置決め凹部６８と対応する部分に位置決め凸部８３ｑが形成されている。そして、介在部材８０を本体ケース６２内に嵌め込むと、各位置決め凸部８３ｑが対応する位置決め凹部６８に挿入され、介在部材８０が本体ケース６２に対してより確実に一定位置で保持される。
【００６０】
また、本体ケース６２の４つの外向き面のうち底部６３に近い側の部分のそれぞれに、ケース固定凹部６９が形成されている。ケース固定凹部６９は、本体ケース６２を開口６３ｈから底部６３に向けて見た正面視において、４回対称性を示す位置に形成されている。ここでは、本体ケース６２の４つの外向き面のそれぞれに、２つのケース固定凹部６９が間隔をあけて形成されている。
【００６１】
一方、本体ケース６２を収容固定する枠部材３２の第３収容部３５の両側部には、上記ケース固定凹部６９に係止可能なケース固定片３５Ｐが形成されている（図４参照）。ここでは、第３収容部３５の両側部のそれぞれに、２つのケース固定片３５Ｐが形成されている。各ケース固定片３５Ｐは、第３収容部３５の両側部に、その表側（扉の表側）から裏側（扉の裏側）に延在する長尺状の片を形成し、その片の先端部に内向きに突出する係止凸部を形成した構成とされている。そして、第３収容部３５の裏側から本体ケース６２を押込むように挿入すると、各ケース固定片３５Ｐの先端部の係止凸部が本体ケース６２の外側面に当接して、ケース固定片３５Ｐが外向きに弾性変形する。そして、係止凸部がケース固定凹部６９に達するまで本体ケース６２を押込むと、ケース固定片３５Ｐが元形状に弾性復帰して、係止凸部がケース固定凹部６９に係止する。これにより、本体ケース６２が第３収容部３５に対して裏側に抜けないように保持される。この状態では、本体ケース６２の囲壁部６６のうち底側の周縁部から外方に突出するように形成された縁部６６ｐが第３収容部３５に対して裏側から当接する。このため、本体ケース６２は、第３収容部３５の表側にも抜け無いように保持されている。これにより、本体ケース６２が第３収容部３５内で一定位置に保持される。
【００６２】
なお、第３収容部３５は、正方形枠状に形成されており、本体ケース６２も正方形枠状に形成されている。このため、本体ケース６２を、その開口６３ｈから底部６３に向う軸周りに９０度毎に回転させた任意の姿勢で、本体ケース６２を第３収容部３５に嵌め込むことができる。この際、本体ケース６２の４つの外向き面のそれぞれにケース固定凹部６９が形成されているため、本体ケース６２を上記のように９０度毎に回転させた任意の姿勢で、各ケース固定片３５Ｐは、本体ケース６２の両側部のケース固定凹部６９に係止することができる。従って、静電容量式タッチスイッチ装置６０を、９０度毎に回転させた任意の姿勢で、第３収容部３５に収容して固定することができる。
【００６３】
後述するように、カバーシート１００には、数字が印刷されているため、正面から見て上下、左右の方向性を有する。一方、本開閉操作ユニット３０については、その取付対象部位に応じて、９０度回転させた横向き姿勢で扉等に組込む構成に流用されることもあり得る。第３収容部３５に対する静電容量式タッチスイッチ装置６０の取付姿勢を変更可能とすることで、開閉操作ユニット３０の取付姿勢の変更に対しても容易に対応できる。
【００６４】
＜実装基板について＞
実装基板７０は、正方形板状に形成されており、その一方主面に発光部２１４が実装固定され、他方主面に、認証コントローラ２００、タッチ検知回路部２１０Ｃ、通信回路部２１２Ｃ、スイッチ２１６（１）、２１６（２）と、駆動回路２１８等を構成するＩＣチップ等の電子部品７２、スイッチ２１６（１）、２１６（２）が実装固定されており、それらの各部は、実装基板７０に形成された回路パターンを通じて電気的に接続されている。
【００６５】
実装基板７０の一方主面では、発光部２１４（１）、２１４（２）、２１４（３）、２１４（４）、２１４（５）、２１４（６）、２１４（７）、２１４（８）、２１４（９）が格子点状、ここでは、縦３行、横３列に並ぶように固定されている。各発光部２１４（１）、２１４（２）、２１４（３）、２１４（４）、２１４（５）、２１４（６）、２１４（７）、２１４（８）、２１４（９）は、それぞれ各電極部２１０（１）、２１０（２）、２１０（３）、２１０（４）、２１０（５）、２１０（６）、２１０（７）、２１０（８）、２１０（９）に対応して設けられている。
【００６６】
また、実装基板７０の他方主面では、上記スイッチ２１６（１）、２１６（２）は、スイッチ操作部６４（１）、６４（２）の裏面側に対応する位置に固定されており、スイッチ操作部６４（１）、６４（２）の押し操作によって、対応するスイッチ２１６（１）、２１６（２）が押し操作されるようになっている。
【００６７】
また、実装基板７０の他方主面側には、ＵＳＢ端子２２０も実装固定されている。ＵＳＢ端子２２０は、本体ケース６２の底部６３を避けた開口部分の内側に設けられており、当該開口を通じて外部機器側のＵＳＢ端子を本ＵＳＢ端子２２０に接続できるようになっている。
【００６８】
本実装基板７０は、上記したように、本体ケース６２内で各凸条部６７と介在部材８０との間に挟み込まれた状態で、一定位置に保持される。
【００６９】
＜介在部材について＞
介在部材８０は、タッチシート９０と発光部２１４との間に介在し、各発光部２１４から照射される光を電極部２１０に向けて案内可能に構成されている。ここでは、介在部材８０は、各発光部２１４から照射される光を広げつつ電極部２１０に向けて案内可能に構成されている。なお、介在部材８０において、光が広げられることは必須ではなく、発光部２１４から照射される光を後述する光透過孔によって制限する構成であってもよい。光通過孔の形状を所望の形状に形成することで、発光領域の形状、範囲を任意に設定することができる。
【００７０】
ここでは、介在部材８０は、発光部２１４と電極部２１０との間に間隔を設けることで、各発光部２１４から照射される光を広げる構成とされている。
【００７１】
より具体的には、介在部材８０は、介在本体部８２と、窓部８８とを備える。
【００７２】
介在本体部８２は、樹脂等によって形成された部材であり、直方体ブロック状に形成されている。介在本体部８２は、光を通さない材料、例えば、黒色の樹脂等によって形成されていることが好ましい。介在本体部８２をその一方主面（正面）から観察すると、本体ケース６２内に収容可能な正方形の外形を有している。また、介在本体部８２内には、発光部２１４から電極部２１０に向けて貫通する光通過孔８４が形成されている。ここでは、上記各発光部２１４（１）、２１４（２）、２１４（３）、２１４（４）、２１４（５）、２１４（６）、２１４（７）、２１４（８）、２１４（９）に対応して複数の光通過孔８４が形成されている。すなわち、９つの光通過孔８４が、格子点状、ここでは、縦３行、横３列に並ぶように形成されている。
【００７３】
ここでは、各光通過孔８４は、正方形孔状に形成されている。もっとも、光通過孔は、丸孔、多角形孔等であってもよい。また、光通過孔は、複数の発光部２１４（１）、２１４（２）、２１４（３）、２１４（４）、２１４（５）、２１４（６）、２１４（７）、２１４（８）、２１４（９）に共通して形成される単一の孔であってもよい。
【００７４】
各光通過孔８４のうち電極部２１０側の開口は、その他の部分よりも段部８４Ｓを介して広がる開口縁部８５に形成されている。窓部８８は、アクリル樹脂等の透明材料によって形成されており、開口縁部８５に嵌め込み可能な板状、すなわち、方形板状に形成されている。そして、各光通過孔８４の開口縁部８５に窓部８８が嵌め込み保持される。これにより、介在部材８０のうちタッチシート９０が配設される面は、介在本体部８２のうちタッチシート９０側の面と窓部８８とが面一状に広がる形状となる。
【００７５】
実装基板７０に実装された発光部２１４は、対応する光通過孔８４のうち実装基板７０側の部分内に配設されるため、各発光部２１４から照射された光は、各光通過孔８４を通って電極部２１０に至る。つまり、発光部２１４は、ある程度の距離を通って電極部２１０に至る。通常、発光ダイオード等の発光部から照射される光は、平行光ではなく、拡散角度が比較的小さい拡散光である。このため、発光部から照射される光は、光通過孔８４を通る際にある程度広がる。このため、外部から見て静電容量式タッチスイッチ装置６０のタッチスイッチ部１３０をなるべく広範囲に発光させることができる。
【００７６】
本実施形態における介在部材８０は、発光部２１４と電極部２１０との間に一定の距離を設けることで、光を広げる構成である。介在部材が上記構成であることは必須ではない。介在部材が光を散乱させる光散乱部分を含み、当該光散乱部分によって、発光部２１４からの光を広げる構成であってもよい。
【００７７】
また、上記介在本体部８２の周囲４つの面のうち対向する２つの面には、それぞれ外方に突出する係止凸部８３ｐが形成されている。ここでは、対向する２つの面のそれぞれに、間隔をあけて２つの係止凸部８３ｐが形成されている。そして、既述したように、介在部材８０が本体ケース６２内に収容された状態で、各係止凸部８３ｐが本体ケース６２の係止凹部６６ａｈに係止する。
【００７８】
また、介在本体部８２の周囲４つの面のそれぞれに２つの位置決め凸部８３ｑが並列状に形成されている。そして、既に述べたように、介在部材８０を本体ケース６２内に嵌め込んだ状態で、各位置決め凸部８３ｑが本体ケース６２側の各位置決め凹部６８に嵌り込む。
【００７９】
＜タッチシートについて＞
図１３はタッチシート９０を示す正面図である。図６、図７及び図１３に示すように、タッチシート９０は、シート９２と、電極部２１０（１）、２１０（２）、２１０（３）、２１０（４）、２１０（５）、２１０（６）、２１０（７）、２１０（８）、２１０（９）とを備える。
【００８０】
シート９２は、ポリエチレンテレフタレート等の透明樹脂シートによって形成されている。シート９２は、正方形状に形成されており、上記介在部材８０の表側の正方形面の全体に配設される。シート９２の１つの辺の中央からは、電極部２１０と実装基板７０とを電気的に接続するための配線を形成するための延長シート部９３が延設されている。介在部材８０とシート９２とは、例えば、両面テープ等によって貼り合わされる。なお、ここでは、シート９２の角部は丸められているが、これは必須ではない。なお、シート９２の一方面又は両面には、透明のポリエステルフィルム等によって形成された保護シートが設けられていることが好ましい。シート９２のうち電極部２１０が設けられた面側では、保護シートは、電極部２１０を覆うように設けられていることが好ましい。
【００８１】
電極部２１０（１）、２１０（２）、２１０（３）、２１０（４）、２１０（５）、２１０（６）、２１０（７）、２１０（８）、２１０（９）は、それぞれ各発光部２１４（１）、２１４（２）、２１４（３）、２１４（４）、２１４（５）、２１４（６）、２１４（７）、２１４（８）、２１４（９）に対応する各位置に設けられている。すなわち、９つの光通過孔８４及び９つの電極部２１０が、一定間隔をあけてマトリクス状に、ここでは、縦３行、横３列に並ぶように形成されている。
【００８２】
また、ここでは、電極部２１０は、正方形状に形成されている。本例では、電極部２１０は、各窓部８８の位置及び大きさとも一致している。もっとも、電極部は、その他の多角形状、円形状等であってもよい。
【００８３】
シート９２及び延長シート部９３には、各電極部２１０から延長シート部９３を通って実装基板７０に接続される電極用配線２１１が形成されている。
【００８４】
上記電極部２１０及び電極用配線２１１は、シート９２に導電性膜を形成し、当該導電性膜を所定パターンでエッチングすること、又は、シート９２に所定パターンで導電性膜を印刷すること等により形成することができる。
【００８５】
電極部２１０は、透光性を有することが好ましい。ここでの透光性とは、発光部２１４の光を、電極部２１０を通じて外部から視認可能な程度で、光が電極部２１０及び電極用配線２１１を透過できる性質を有することを意味する。そのために、電極部２１０を形成する材料としては、酸化インジウムスズや酸化亜鉛等を用いることができる。
【００８６】
また、ここでは、シート９２に、アンテナ２１２が形成されている。アンテナ２１２は、電極部２１０の外周であって、電極部２１０との間に間隔を設けると共に、シート９２の縁との間に間隔を設けた位置に形成されている。より具体的には、正方形ループ状のアンテナ２１２が、シート９２の外周に沿って形成されている。
【００８７】
アンテナ２１２を全電極部２１０の外周に設けることで、アンテナ２１２の長さ寸法を大きくでき、結果、アンテナ２１２の受信感度を良好にすることができる。
【００８８】
また、各電極部２１０のうち外周側にある電極部２１０（１）、２１０（２）、２１０（３）、２１０（４）、２１０（６）、２１０（７）、２１０（８）、２１０（９）とアンテナ２１２との間には、間隔が設けられている。また、アンテナ２１２とシート９２の縁との間にも間隔が設けられている。これによっても、アンテナ２１２の受信感度を良好にすることができる。
【００８９】
すなわち、アンテナ２１２の内周側直近及び外周側直近に他の導電体が存在すると、電波が、アンテナ２１２の外周側及び内周側を通過するのに障害となる。本実施形態では、シート９２は、扉１６ａに形成された開口１６ｈ内に配設されるところ（図１６参照）、扉１６ａは金属板等によって構成されている。このため、アンテナ２１２がシート９２の縁に設けられていると、アンテナ２１２の外周側で扉１６ａが電波を遮断してしまう。また、電極部２１０も導電体であるので、アンテナ２１２が電極部２１０直近に形成されていると、電極部２１０が電波を遮断してしまう。
【００９０】
そこで、上記のように、シート９２とアンテナ２１２との間に間隔を設けると共に、電極部２１０とアンテナとの間に間隔を設けることで、アンテナ２１２の内周側及び外周側の両方で、電波が通過可能な領域を確保することができ、アンテナ２１２の受信感度を良好にすることができる。
【００９１】
アンテナ２１２は、上記電極部２１０と同じ導電材料によって形成されていてもよいし、他の導電材料によって形成されていてもよい。アンテナ２１２が形成された部分では、光を透過させなくてもよいので、導電性を重視して、アルミニウム、銅等の金属によって形成されていてもよい。アンテナ２１２についても、上記電極部２１０と同様に、シート９２に導電性膜を形成し、当該導電性膜を所定パターンでエッチングすること、又は、シート９２に所定パターンで導電性膜を印刷すること等により形成することができる。
【００９２】
なお、アンテナ２１２は、延長シート部９３を通るアンテナ用配線２１３を介して実装基板７０に接続される。
【００９３】
上記電極部２１０及びアンテナ２１２は、シート９２のうち表側（操作者が存在する側）に形成されることが好ましい。電極部２１０及びアンテナ２１２をなるべく外部に近づけて、タッチ感度又は受信感度を良好にするためである。
【００９４】
＜カバーシートについて＞
図１４はカバーシート１００を示す正面図であり、図１５はカバーシート１００を示す背面図であり、図１６はカバーシート１００が扉１６ａに装着された状態を示す概略断面図である。また、図１７は静電容量式タッチスイッチ装置６０の一部が発光している状態を示す説明図であり、図１８は静電容量式タッチスイッチ装置６０の部分概略断面図である。図１８では、説明の便宜上、カバーシート１００、タッチシート９０等の厚みが誇張して描かれている。
【００９５】
カバーシート１００は、シート基部１０２を備える。
【００９６】
シート基部１０２は、ポリエチレンテレフタレート等の透明樹脂シートによって形成されている。シート基部１０２は、カバーシート本体部１０３と、カバーシート周縁部１０５とを備える。
【００９７】
カバーシート本体部１０３は、タッチシート９０と同じ大きさ又はこれよりも大きい（僅かに大きい）の正方形状に形成されている。カバーシート本体部１０３の各角部は丸められているがこれは必須ではない。カバーシート本体部１０３の周縁部には、その一方面側（タッチシート９０側）に向けて突出する周壁部１０４が突設されている。当該周壁部１０４の突出側の縁部からカバーシート周縁部１０５が外方に向けて延出している。このため、カバーシート周縁部１０５は、カバーシート本体部１０３の周囲から段差１０５Ｓを介して凹むように設けられている。
【００９８】
好ましくは、段差１０５Ｓの寸法（カバーシート本体部１０３の外向き面とカバーシート周縁部１０５の外向き面との差）は、扉１６ａのうち本静電容量式タッチスイッチ装置６０が設けられる開口６３ｈの周縁部分の厚みと同じに設定される。これにより、カバーシート周縁部１０５を当該開口６３ｈの周縁部の内向き部分に接触させるようにして、静電容量式タッチスイッチ装置６０を扉１６ａに取付けた状態で、カバーシート周縁部１０５の外向き面と扉１６ａの外向き面とを面一状に配設することができる。もっとも、段差１０５Ｓの寸法が、開口６３ｈの周縁部分の厚みと同じであることは必須ではない。
【００９９】
上記シート基部１０２は、例えば、平面状のシートを、所定形状の金型にてバキューム成型すること等によって形成することができる。当初均一の厚みを呈する平面状のシートをバキューム成型すれば、バキューム成型後のシート基部１０２も、カバーシート本体部１０３では、比較的均一な厚みを保ち易いという利点がある。なお、シート基部１０２は、プレス成型によって形成することも可能である。
【０１００】
カバーシート本体部１０３のうち外向き部分は、シボ面１０６に形成されている。シボ面１０６は、例えば、カバーシート本体部１０３の外向き表面に触感可能な程度の厚みのインク等を塗布するように印刷すること、或は、所定の金型面に形成されたシボ加工面の形状を、カバーシート本体部１０３の外向き表面に形状転写すること等により形成することができる。カバーシート本体部１０３の外向き表面がシボ面１０６を呈していると、手指等を当該カバーシート本体部１０３のシボ面１０６に接触させた際に、当該手指等を、シボ面１０６に引っ掛かるせることなく、滑らかに移動させることができる。これにより、利用者が、本静電容量式タッチスイッチ装置６０に対するタッチ入力（特に、後述するジェスチャー入力）を円滑に行える。
【０１０１】
また、カバーシート本体部１０３のうち内向き部分には、第１印刷部１０７及び第２印刷部１０８が形成されている。第１印刷部１０７及び第２印刷部１０８は、それぞれ半透光性を有する印刷膜である。第１印刷部１０７は、カバーシート本体部１０３の内向き部分のうち表示部１０２ａ（ここでは、１〜９を表す数字表示部）の領域以外の領域に形成されている。また、第２印刷部１０８は、カバーシート本体部１０３の内向き部分のうち表示部１０２ａを囲む領域以外の領域に形成されている。ここでは、表示部１０２ａを囲む領域は、方形領域（ここでは、正方形領域）である。当該領域は、その他の多角形領域、円形領域等であってもよい。もっとも、この領域は、後述するようにぼんやりと光る領域である。この領域が円形領域等であると、指先で隠れ、当該発光を外部から認識し難い可能性がある。この領域を方形領域とすることによって、その部分に指先を近づけた場合でも、コーナー部分が指先がはみ出るため、その領域の発光を認識し易いという利点がある。このように、カバーシート１００は、表示部１０２ａの部分においてもっとも高い透光性を示し、その周囲の領域で２番目に高い透孔性を示し、その他の領域は、最も低い透光性を示す。
【０１０２】
上記第１印刷部１０７及び第２印刷部１０８は、カバーシート本体部１０３の裏面側に形成されているため、カバーシート本体部１０３の表面に触れる手指等によってすり減りにくい。このため、上記発光表示を長期間に亘って維持することができるという利点がある。
【０１０３】
なお、上記表示部１０２ａがあることは必須ではない。
【０１０４】
図１８を参照して開閉操作ユニット３０における発光態様について説明しておく。図１８において、タッチシート９０とカバーシート１００との間、介在部材８０とタッチシート９０との間には、両面テープ等による粘着層Ｂが介在している。粘着層Ｂを形成する材料としては、アクリル系の粘着剤等を用いることができる。
【０１０５】
同図に示すように、発光部２１４からの光は、介在部材８０の光通過孔８４を通ってタッチシート９０に達する。光が光通過孔８４を所定距離に亘って通過する際に拡散され、電極部２１０と同じ程度又はこれよりも大きく広がる。タッチシート９０に達した光は、シート９２及び電極部２１０を透過して、カバーシート１００に達する。カバーシート１００のうち上記表示部１０２ａに達した光は、ほとんど遮られることなく、カバーシート１００の外方に出射する。このため、カバーシート１００を外部から観察すると、図１７に示すように、表示部１０２ａが最も明るく光って観察される。また、カバーシート１００のうち上記表示部１０２ａの周りに達した光は、第１印刷部１０７によって部分的に遮られる。このため、カバーシート１００を外部から観察すると、図１７に示すように、表示部１０２ａがぼんやと光って観察される。各表示部１０２ａを区切る格子状の領域に対しては、介在部材８０における各光通過孔８４の間の仕切部分によって光の進入が抑制されていること、及び、第１印刷部１０７及び第２印刷部１０８によって光が遮られること等から、ほとんど光らない状態となる。
【０１０６】
また、この開閉操作ユニット３０では、カバーシート１００の裏側のタッチシート９０に電極部２１０が設けられている。開閉操作ユニット３０のうち各電極部２１０が設けられた部分が、手指等の近接を検出するタッチスイッチ部１３０である。本開閉操作ユニット３０では、カバーシート１００のいずれかのタッチスイッチ部１３０に手指等を近接させることで、タッチ入力が可能となる。
【０１０７】
＜動作例＞
本開閉操作ユニット３０では、タッチスイッチ部１３０、スイッチ２１６（１）、２１６（２）を通じて、諸指示を入力可能であり、また、アンテナ２１２、ＵＳＢ端子２２０を通じて諸指示又はデータを入出力可能である。また、本開閉操作ユニット３０は、ソレノイドアクチュエータ５２の制御及び各発光部２１４の発光動作の制御が可能である。これらを前提として、開閉操作ユニット３０の認証動作例について説明する。
【０１０８】
まず、初期状態においては、許可情報２０４として、認証可能なジェスチャ情報が登録されているとする。ジェスチャ情報とは、静電容量式タッチスイッチ装置６０のカバーシート１００の表面に対して手指が描くべき軌跡を示す情報である。例えば、図１９に示すように、手指がカバーシート１００の表面に対してＺ字状の軌跡Ｚを描くべき場合には、ジェスチャ情報として、“１、２、３、５、７、８、９”が記憶される。そして、手指が各タッチスイッチ部１３０に対して当該順で近接したことを検出した場合に、認証可となる。
【０１０９】
また、初期状態においては、許可情報２０４として、認証可能な識別番号が登録されているとする。識別番号は、キャビネット１２を利用可能な利用者に対して割当てられた番号である。利用者に対しては、図２０に示すように、アンテナ２１２を通じて開閉操作ユニット３０と通信可能な非接触通信装置としてカード型端末装置１４０が貸与されている。このカード型端末装置１４０には、事前に識別番号が割り与えられており、カード型端末装置１４０が本開閉操作ユニット３０のアンテナ２１２の前方、すなわち、カバーシート１００の前方に近接させると、開閉操作ユニット３０がアンテナ２１２を通じてカード型端末装置１４０との間で通信を行い、当該カード型端末装置１４０に記憶された識別番号を読取るようになっている。このような通信システムとしては、ＮＦＣ（Near Field Communication）通信システム等の周知技術を含む種々の構成を採用することができる。
【０１１０】
また、本開閉操作ユニット３０は、ワンタッチ認証モード、ジャスチャ認証モード、カード認証モード、及び、ジェスチャプラスカード認証モードを設定可能とされており、初期状態において、いずれかのモードが設定されており、当該設定されたモードに従って、下記の動作を実行する。
【０１１１】
上記初期状態の設定は、外部のパソコンを、ＵＳＢ端子２２０又はアンテナ２１２を通じて、開閉操作ユニット３０に通信可能に接続し、当該パソコンを通じて行うことができる。或は、タッチスイッチ部１３０及びスイッチ２１６（１）、２１６（２）を利用することによっても、当該初期状態の設定を行うことができる。
【０１１２】
図２１はワンタッチ認証モードが設定されている場合における開閉操作ユニット３０の認証コントローラ２００の処理手順を示すフローチャートである。
【０１１３】
認証コントローラ２００は、ウエイクアップ状態よりも消費電力が低いスリープ状態となっており、ステップＳ１において、タッチスイッチ部１３０への手指等の近接有りと判定されると、次ステップＳ２に進む。ステップＳ１におけるタッチスイッチ部１３０への手指等の近接の判定は、全てのタッチスイッチ部１３０を対象として行ってもよいし、或は、複数のタッチスイッチ部１３０のうちの一部である特定のタッチスイッチ部（例えば、中央にある数字”５”に対応するタッチスイッチ部）を対象として行ってもよい。
【０１１４】
ステップＳ２では、認証コントローラ２００がウエイクアップ状態に移行して、発光部２１４を点灯させる。この際の発光部２１４の点灯は、認証コントローラ２００がウエイクアップ状態となって、ソレノイドアクチュエータ５２の駆動制御、すなわち、ロック機構の解錠及び施錠動作が可能になったことを示す。この際、複数の発光部２１４の全てが発光してもよいし、一部が発光してもよい。また、発光部２１４は、一定時間、継続的に発光し続けてもよいし、或は、点滅を繰返してもよい。
【０１１５】
この後、ステップＳ３では、認証可と判定され、次ステップＳ４に進む。つまり、本モードでは、利用者は、タッチスイッチ部１３０に触れるだけで、認証される。このため、本モードは、利用者に対する制限がなく、全ての利用者がキャビネット１２を利用できるモードである。
【０１１６】
ステップＳ４では、認証コントローラ２００は、認証点灯、解錠、及び履歴記憶の各処理を実行する。認証点灯処理は、発光部２１４を点灯させる処理である。この際の発光部２１４の点灯は、認証されたこと（つまり、利用者が利用可能であること）を示す。この際、複数の発光部２１４の全てが発光してもよいし、一部が発光してもよい。また、発光部２１４は、一定時間、継続的に発光し続けてもよいし、或は、点滅を繰返してもよい。解錠処理として、認証コントローラ２００は、ソレノイドアクチュエータ５２を駆動し、取っ手部４０を姿勢変更可能な状態とする。これにより、利用者は、取っ手部４０を姿勢変更させて、ロック爪部２４とロック孔との係止を解錠させて、扉１６ａ、１６ｂを開けるようになる。また、認証コントローラ２００は、その利用の履歴２０５を記憶装置に記憶させる。ここでは、利用者が特定されていないため、利用日時（認証又は解錠したした日時）等が履歴２０５として記憶装置２０２に記憶される。なお、記憶装置２０２に記憶された履歴２０５は、ＵＳＢ端子２２０を介した通信、アンテナ２１２を利用した無線通信によって、外部のパソコン等に送信可能である。
【０１１７】
次ステップＳ５では、第１時間経過したか否かが判定される。第１時間は、利用者による取っ手部４０の操作可能時間として、事前に設定された時間（例えば、２秒）である。ステップＳ５において、第１時間経過したか否かが判定されると、次ステップＳ６に進む。
【０１１８】
ステップＳ６では、認証コントローラ２００は、施錠処理を実行する。具体的には、ソレノイドアクチュエータ５２を駆動し、取っ手部４０を姿勢変更不能な状態とする。これにより、利用者は、扉１６ａを開いたか否かにかかわらず、取っ手部４０を操作して、ロック爪部２４とロック孔部との係止を解除できなくなる。なお、既に扉１６ａを開いていた場合には、取っ手部４０の姿勢変更が規制されているかにかかわらず、ロック爪部２４とロック孔部とを係止させることができる。このため、ステップＳ６以降においても、扉１６ａを閉めてロックすることができる。
【０１１９】
次ステップＳ７では、認証コントローラ２００は、スリープモードへ移行し、処理を終了する。これにより、利用者は、タッチスイッチ部１３０に触れるだけで、扉１６ａを開いてキャビネット１２を利用することができる。
【０１２０】
図２２はジャスチャ認証モードが設定されている場合における開閉操作ユニット３０の認証コントローラ２００の処理手順を示すフローチャートである。
【０１２１】
ステップＳ１１及びＳ１２は、ステップＳ１及びＳ２と同じである。
【０１２２】
ステップＳ１２の次のステップＳ１３では、第２時間内でのタッチスイッチ部１３０への手指等の近接の有無が判定される。第２時間は、認証コントローラ２００がウエイクアップ及び点灯した後、利用者によるジェスチャ操作を受付ける待機時間（例えば、２秒）であり、事前に設定された時間である。第２時間内にタッチスイッチ部１３０への手指等の近接が無いと判定されると、ステップＳ１９に進み、認証コントローラ２００は、スリープ状態となる。一方、第２時間内にタッチスイッチ部１３０への手指等の近接が有ると判定されると、ステップＳ１４に進む。
【０１２３】
ステップＳ１４では、認証コントローラ２００は、各タッチスイッチ部１３０を通じて入力されたジェスチャ操作（タッチスイッチ部１３０への近接検出順）を取得する。なお、認証コントローラ２００がタッチスイッチ部１３０を通じてジェスチャ操作を受付ける際、手指等の近接が検出された電極部２１０に対応する発光部２１４を、その近接が検出される毎に発光させることが好ましい。これにより、利用者は、いずれのタッチスイッチ部１３０に手指が近接したのかを確認しつつ、ジェスチャ操作を行える。
【０１２４】
次ステップＳ１５では、認証コントローラ２００は、取得されたジェスチャ操作を、記憶装置２０２に登録済みのジェスチャ情報と比較し、両者が一致している場合を認証可と判定し、両者が不一致である場合に認証不可と判定する。認証不可と判定された場合には、ステップＳ１３に戻る。なお、ステップＳ１５が繰り返され、認証不可と判定された回数が予め設定された回数以上となった場合には、音又は表示等による警告を発し、施錠状態を保つようにしてもよい。認証可と判定された場合には、ステップＳ１６に進む。
【０１２５】
ステップＳ１６及び以降のステップＳ１７、Ｓ１８、Ｓ１９は、上記ステップＳ４〜Ｓ７と同じである。
【０１２６】
これにより、利用者は、タッチスイッチ部１３０に触れた後、所定のジェスチャ操作を行うことで、扉１６ａを開いてキャビネット１２を利用することができる。
【０１２７】
図２３はカード認証モードが設定されている場合における開閉操作ユニット３０の認証コントローラ２００の処理手順を示すフローチャートである。
【０１２８】
ステップＳ２１及びＳ２２は、ステップＳ１及びＳ２と同じである。
【０１２９】
ステップＳ２２の次のステップＳ２３では、第２時間内での外部の非接触通信装置との通信の有無が判定される。第２時間は、認証コントローラ２００がウエイクアップ及び点灯した後、利用者によるカード型端末装置１４０のタッチ操作を受付ける待機時間（例えば、２秒）であり、事前に設定された時間である。第２時間内に利用者がカード型端末装置１４０をアンテナ２１２近く、すなわち、カバーシート表面に近接させると、認証コントローラ２００とカード型端末装置１４０との間で近接無線通信が確立され、通信有りと判定され、ステップＳ２４に進む。第２時間内での通信が無いと判定されると、ステップＳ２９に進み、認証コントローラ２００は、スリープ状態となる。
【０１３０】
ステップＳ２４では、認証コントローラ２００は、アンテナ２１２等を通じて、カード型端末装置１４０から識別番号を取得する。
【０１３１】
次ステップＳ２５では、認証コントローラ２００は、取得された識別番号を、記憶装置２０２に登録された、利用可である識別番号と比較する。そして、取得された識別番号が、記憶装置２０２に登録されたいずれかの識別番号と一致している場合を認証可と判定し、いずれの識別番号とも一致しない場合を認証不可と判定する。認証不可と判定された場合には、ステップＳ２３に戻る。なお、ステップＳ２５が繰り返され、認証不可と判定された回数が予め設定された回数以上となった場合には、音又は表示等による警告を発し、施錠状態を保つようにしてもよい。認証可と判定された場合には、ステップＳ２６に進む。
【０１３２】
ステップＳ２６及び以降のステップＳ２７、Ｓ２８、Ｓ２９は、上記ステップＳ４〜Ｓ７と同じである。
【０１３３】
これにより、利用者は、タッチスイッチ部１３０に触れた後、カード型端末装置１４０を開閉操作ユニット３０にかざすことで、扉１６ａを開いてキャビネット１２を利用することができる。
【０１３４】
図２４はジェスチャプラスカード認証モードが設定されている場合における開閉操作ユニット３０の認証コントローラ２００の処理手順を示すフローチャートである。
【０１３５】
ステップＳ３１及びＳ３２は、ステップＳ１及びＳ２と同じである。
【０１３６】
ステップＳ３２の次のステップＳ３３、Ｓ３４及びＳ３５は、上記ステップＳ１３、Ｓ１４及びＳ１５と同じである。これにより、利用者によるジェスチャ操作による認証がなされる。
【０１３７】
ステップＳ３５において、認証可と判定された場合は、ステップＳ３６移行の処理が実行される。ステップＳ３６，Ｓ３７、Ｓ３８の処理は、上記ステップＳ２４、Ｓ２５。Ｓ２６の処理と同じである。これにより、利用者によるカード型端末装置１４０を用いた認証がなされる。
【０１３８】
カード型端末装置１４０を用いて認証において利用可と判定されると、ステップＳ４０、Ｓ４１、Ｓ４２が実行される。これらのステップは、上記ステップＳ４〜Ｓ７と同じである。
【０１３９】
これにより、利用者は、タッチスイッチ部１３０に触れた後、所定のジェスチャ操作を行い、さらに、カード型端末装置１４０を開閉操作ユニット３０にかざすことで、扉１６ａを開いてキャビネット１２を利用することができる。なお、ジェスチャ操作による認証と、カード型端末装置１４０による認証とは、いずれが先になされてもよい。
【０１４０】
＜効果等＞
以上のように構成された静電容量式タッチスイッチ装置６０及び収納装置１０によると、発光部２１４から照射される光が介在部材８０によって電極部２１０に向けて案内される。光が介在部材８０を通る際に、当該光による発光領域を任意に設定することができる。ここでは、光を広げて広範囲に発光させるようにしている。また、光通過孔８４の形状によって方形状の発光領域に設定している。また、タッチシート９０のうち電極部２１０が設けられた部分は、手指等の検出対象を検出するタッチスイッチ部１３０として機能する。このため、静電容量式タッチスイッチ装置６０のタッチスイッチ部１３０を外から見た発光領域を容易に設定することができる。ここでは、なるべく広範囲に発光させることができる。
【０１４１】
また、実装基板７０には、発光部２１４及びタッチ検知回路部２１０Ｃが実装されている。このため、介在部材８０は、電極部２１０とタッチ検知回路部２１０Ｃとを隔てることができる。これにより、電極部２１０とタッチ検知回路部２１０Ｃとの干渉を抑制し、タッチ感度を良好にすることができる。
【０１４２】
また、アンテナ２１２は、タッチシート９０のシート９２に形成されている。このため、アンテナ２１２を、静電容量式タッチスイッチ装置６０のうち外部になるべく近い位置に設けることができる。これにより、アンテナ２１２を介して外部の非接触通信装置との通信を確立させ易い。
【０１４３】
しかも、アンテナ２１２は、電極部２１０の外周であって、当該電極部２１０との間に間隔を設けると共に、シート９２の外縁との間に間隔を設けた位置に形成されている。このため、アンテナ２１２をなるべく長く設けることができ、かつ、アンテナ２１２の内周及び外周に電磁波が通過可能な空間を確保することができ、アンテナ２１２の感度を良好にすることができる。
【０１４４】
また、シート９２及び電極部２１０は透光性を有しているため、発光部２１４からの光は、シート９２及び電極部２１０を通過する。これにより、外から見て、タッチスイッチ部１３０をより明るく発光させることができる。
【０１４５】
｛変形例｝
なお、上記実施形態及び各変形例で説明した各構成は、相互に矛盾しない限り適宜組合わせることができる。
【０１４６】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【０１４７】
なお、本明細書は、下記の開示を含む。
【０１４８】
第１の態様に係る静電容量式タッチスイッチ装置は、シートと前記シートに形成された静電容量検出用の電極部とを含むタッチシートと、前記電極部と対応する位置に設けられた発光部と、前記タッチシートと前記発光部との間に介在し、前記発光部から照射される光を前記電極部に向けて案内する介在部材とを備える。
【０１４９】
第２の態様は、第１の態様に係る静電容量式タッチスイッチ装置であって、前記タッチシートは、一定間隔でマトリクス状に形成された複数の前記電極を含み、前記複数の電極のそれぞれに対応して前記発光部が複数設けられているものである。
【０１５０】
第３の態様は、第１又は第２の態様に係る静電容量式タッチスイッチ装置であって、前記電極部に接続されたタッチ検知回路部が実装された実装基板をさらに備え、前記実装基板に、前記発光部が実装されているものである。
【０１５１】
第４の態様は、第１〜第３のいずれか１つの態様に係る静電容量式タッチスイッチ装置であって、外部の非接触通信装置との間で通信を行うアンテナが、前記シートに形成されているものである。
【０１５２】
第５の態様は、第４の態様に係る静電容量式タッチスイッチ装置であって、前記アンテナは、前記電極部の外周であって、前記電極部との間に間隔を設けると共に、前記シートの縁との間に間隔を設けた位置に形成されているものである。
【０１５３】
第６の態様は、第１〜第５のいずれか１つの態様に係る静電容量式タッチスイッチ装置であって、前記シート及び前記電極部は、透光性を呈するものである。
【０１５４】
第７の態様に係る収納装置は、開閉可能な開閉部材を含む収納部と、前記開閉部材を閉じた状態に保つロック状態と、前記開閉部材を開可能な状態にするロック解除状態とに切替可能なロック機構と、第１〜第６のいずれか１つの態様に係る静電容量式タッチスイッチ装置であって、前記電極部を通じて検出されるタッチ操作に応じて認証を行う認証部をさらに備え、前記認証部による認証結果に応じて前記ロック機構の状態を切替える静電容量式タッチスイッチ装置とを備える。
【０１５５】
第１の態様によると、発光部から照射される光が介在部材によって電極部に向けて案内される。この際、介在部材によって、発光部から照射される光を広げたり、一定の範囲に制限したりすることができる。また、タッチシートのうち電極部が設けられた部分は、指等の検出対象を検出するタッチスイッチ部として機能する。このため、静電容量式タッチスイッチ装置のタッチスイッチ部を外から見た発光領域を、所望の範囲に容易に設定できる。
【０１５６】
第２の態様によると、マトリクス状に形成された複数の電極それぞれを、発光部によって発光させることができる。
【０１５７】
第３の態様によると、電極部とタッチ検知回路部とを、介在部材によって隔てることができる。これにより、電極部とタッチ検知回路部との干渉を抑制でき、タッチ感度を良好にすることができる。
【０１５８】
第４の態様によると、アンテナを電極部と同じシートに形成するため、アンテナをなるべく外部に近い位置に設けることができる。
【０１５９】
第５の態様によると、アンテナをなるべく大きく形成でき、かつ、その周りに電波が通過可能な空間を形成できる。これにより、アンテナの感度を良好にすることができる。
【０１６０】
第６の態様によると、発光部からの光がシート及び電極部を通過する。これにより、外から見て、タッチスイッチ部をより明るく発光させることができる。
【０１６１】
第７の態様によると、利用者は、なるべく広範囲に発光したタッチスイッチ部を通じて、タッチ操作を行って、ロック機構をロック状態又はロック解除状態に切替えることができる。
【符号の説明】
【０１６２】
１０    収納装置
１２    キャビネット
１４    収納本体部
１６ａ、１６ｂ    扉
２０    扉ロック機構
３０    開閉操作ユニット
４０    取っ手部
５０    ロック駆動部
６０    静電容量式タッチスイッチ装置
７０    実装基板
７２    電子部品
８０    介在部材
８２    介在本体部
８４    光通過孔
８８    窓部
９０    タッチシート
９２    シート
１００    カバーシート
１３０    タッチスイッチ部
２１０    電極部
２１０Ｃ    タッチ検知回路部
２１２    アンテナ
２１２Ｃ    通信回路部
２１４    発光部
【図１】
2020035770.tif 000003
【図２】
2020035770.tif 000004
【図３】
2020035770.tif 000005
【図４】
2020035770.tif 000006
【図５】
2020035770.tif 000007
【図６】
2020035770.tif 000008
【図７】
2020035770.tif 000009
【図８】
2020035770.tif 000010
【図９】
2020035770.tif 000011
【図１０】
2020035770.tif 000012
【図１１】
2020035770.tif 000013
【図１２】
2020035770.tif 000014
【図１３】
2020035770.tif 000015
【図１４】
2020035770.tif 000016
【図１５】
2020035770.tif 000017
【図１６】
2020035770.tif 000018
【図１７】
2020035770.tif 000019
【図１８】
2020035770.tif 000020
【図１９】
2020035770.tif 000021
【図２０】
2020035770.tif 000022
【図２１】
2020035770.tif 000023
【図２２】
2020035770.tif 000024
【図２３】
2020035770.tif 000025
【図２４】
2020035770.tif 000026